(57)【要約】【課題】通話子器との通話に関する使い勝手を向上したインターホンシステムを提供する。【解決手段】無線Ｉ／Ｆ装置４においては、何れかの携帯電話端末３から送信された応答通知を無線通信部４４で受信すると、制御部４３が記憶部４０に記憶しているデータテーブルを参照し、応答通知の送信元のＩＰアドレスに対して動画表示機能用のフラグが「１」に設定されていれば動画の映像データを送信し、動画表示機能用のフラグが「０」に設定され且つ静止画表示機能用のフラグが「１」に設定されていれば動画の１フレーム分の映像データを送信し、動画表示機能用並びに静止画表示機能用の何れのフラグも「０」に設定されていれば映像データを送信しない。よって、映像の表示機能を有しない携帯電話端末３に無駄に映像を送ることが無くなって使い勝手が向上する。【選択図】図１
2008135884.tif 000002
【特許請求の範囲】
【請求項１】
住戸外に設置される通話子器と、住戸内に設置されるとともに信号線を介して通話子器と接続されるインターホン親機とを備え、信号線を介して音声信号を授受することによりインターホン親機と通話子器との間でインターホン通話が可能なインターホンシステムにおいて、
携帯電話事業者の携帯電話網を介して通話する携帯電話機能並びに前記携帯電話網を介さずに無線通信する無線通信機能を有する携帯電話端末に対して、インターホン親機と携帯電話端末の無線通信機能とをインタフェースする無線インタフェース装置を備え、無線インタフェース装置を介して携帯電話端末と通話子器との間で音声信号を授受し、
来訪者を撮像する撮像手段を通話子器に具備し、撮像手段で撮像された映像が信号線を介してインターホン親機に伝送され、通話子器から受け取った映像をインターホン親機が具備する表示手段に表示するとともに、無線インタフェース装置を介してインターホン親機から携帯電話端末へ前記映像を伝送してなり、
無線インタフェース装置は、予め登録された複数台の携帯電話端末のうちで映像を表示する機能を有している携帯電話端末の識別符号を記憶する記憶手段と、インターホン親機から映像が送られてきた場合に記憶手段を参照して映像表示機能を有する識別符号の携帯電話端末に対してだけ当該映像を送信する制御手段とを具備したことを特徴とするインターホンシステム。
【請求項２】
記憶手段は、映像表示機能を有する携帯電話端末のうちで静止画を表示する機能のみを有している携帯電話端末の識別符号、静止画と動画の両方を表示する機能を有している携帯電話端末の識別符号を記憶し、
制御手段は、記憶手段を参照して動画の表示機能を有する識別符号の携帯電話端末にはインターホン親機から送られてくる動画の映像を送信し、静止画の表示機能のみを有する識別符号の携帯電話端末にはインターホン親機から送られてくる動画の映像を静止画に変換して送信することを特徴とする請求項１記載のインターホンシステム。
【発明の詳細な説明】
【技術分野】
【０００１】
本発明は、インターホンシステムに関するものである。
【背景技術】
【０００２】
従来より、住戸外に設置される通話子器（住戸の外玄関に設置されるドアホン子器や集合住宅の共用玄関に設置されるロビーインターホン装置など）と、住戸内に設置されるとともに信号線を介して通話子器と接続されるインターホン親機とを備え、信号線を介して音声信号を授受することによりインターホン親機と通話子器との間でインターホン通話が可能なインターホンシステムが種々提供されている。ここで、インターホン親機だけでなく、加入者電話回線に接続された一般の電話機でも通話子器との通話を可能としたインターホンシステムが既に提供されている（特許文献１参照）。
【０００３】
また、現在では一般の電話機にもワイヤレス子機を備えたものが広く普及しており、インターホン親機を介した通話子器との通話と電話機を介した外線通話の双方が可能なワイヤレス子機を備えたインターホンシステムも提供されている。
【特許文献１】特開平５−３５７９号公報
【発明の開示】
【発明が解決しようとする課題】
【０００４】
ところで、近年では携帯電話の契約数が加入者電話回線の契約数を追い越し、加入者電話回線を契約せずに携帯電話で自宅からの外線通話を行う家庭が増加してきている。すなわち、加入者電話回線に契約していない家庭では、一般の電話機並びにワイヤレス子機を使って通話子器と通話することができず、使い勝手が悪いものであった。
【０００５】
本発明は上記事情に鑑みて為されたものであり、その目的は、通話子器との通話に関する使い勝手を向上したインターホンシステムを提供することにある。
【課題を解決するための手段】
【０００６】
請求項１の発明は、上記目的を達成するために、住戸外に設置される通話子器と、住戸内に設置されるとともに信号線を介して通話子器と接続されるインターホン親機とを備え、信号線を介して音声信号を授受することによりインターホン親機と通話子器との間でインターホン通話が可能なインターホンシステムにおいて、携帯電話事業者の携帯電話網を介して通話する携帯電話機能並びに前記携帯電話網を介さずに無線通信する無線通信機能を有する携帯電話端末に対して、インターホン親機と携帯電話端末の無線通信機能とをインタフェースする無線インタフェース装置を備え、無線インタフェース装置を介して携帯電話端末と通話子器との間で音声信号を授受し、来訪者を撮像する撮像手段を通話子器に具備し、撮像手段で撮像された映像が信号線を介してインターホン親機に伝送され、通話子器から受け取った映像をインターホン親機が具備する表示手段に表示するとともに、無線インタフェース装置を介してインターホン親機から携帯電話端末へ前記映像を伝送してなり、
無線インタフェース装置は、予め登録された複数台の携帯電話端末のうちで映像を表示する機能を有している携帯電話端末の識別符号を記憶する記憶手段と、インターホン親機から映像が送られてきた場合に記憶手段を参照して映像表示機能を有する識別符号の携帯電話端末に対してだけ当該映像を送信する制御手段とを具備したことを特徴とする。
【０００７】
請求項２の発明は、請求項１の発明において、記憶手段は、映像表示機能を有する携帯電話端末のうちで静止画を表示する機能のみを有している携帯電話端末の識別符号、静止画と動画の両方を表示する機能を有している携帯電話端末の識別符号を記憶し、制御手段は、記憶手段を参照して動画の表示機能を有する識別符号の携帯電話端末にはインターホン親機から送られてくる動画の映像を送信し、静止画の表示機能のみを有する識別符号の携帯電話端末にはインターホン親機から送られてくる動画の映像を静止画に変換して送信することを特徴とする。
【発明の効果】
【０００８】
請求項１の発明によれば、加入者電話回線に契約していなくても、インターホン親機だけでなく携帯電話端末を使って通話子器と通話ができるから使い勝手が向上し、しかも、携帯電話端末による通話子器との通話においては携帯電話事業者の携帯電話網を介さずに通話できるから、通話に要するコストを大幅に低減することが可能である。しかも、無線インタフェース装置においては、インターホン親機から映像が送られてきた場合に制御手段が記憶手段を参照して映像表示機能を有する識別符号の携帯電話端末に対してだけ当該映像を送信するので、映像の表示機能を有しない携帯電話端末に無駄に映像を送ることが無くなる。
【０００９】
請求項２の発明によれば、制御手段は、記憶手段を参照して動画の表示機能を有する識別符号の携帯電話端末にはインターホン親機から送られてくる動画の映像を送信し、静止画の表示機能のみを有する識別符号の携帯電話端末にはインターホン親機から送られてくる動画の映像を静止画に変換して送信するので、動画の表示機能を有さない携帯電話端末であっても静止画の表示機能を有していれば無線インタフェース装置から静止画を送信し携帯電話端末で当該静止画を表示することができて使い勝手が向上する。
【発明を実施するための最良の形態】
【００１０】
（実施形態１）
本実施形態は戸建て住宅向けのインターホンシステムに本発明の技術思想を適用したものであって、図１に示すように住戸外（外玄関）に設置される通話子器（ドアホン子器）２と、住戸内に設置されるとともに信号線Ｌｓを介してドアホン子器２と接続されるインターホン親機（以下、「親機」と略す。）１とを備えている。また、本実施形態における親機１は、後述する無線インタフェース装置４を介して携帯電話端末３と無線通信することが可能である。
【００１１】
携帯電話端末３は、例えばＷ−ＣＤＭＡ(Wideband Code Division Multiple Access)方式の第３世代携帯電話端末であって、マイクロホン３０並びにスピーカ３１と、携帯電話事業者の基地局と無線通信するための第１無線部３２と、無線ＬＡＮに関する規格（例えば、IEEE 802.11諸規格）に準拠した無線通信を行うための第２無線部３３と、液晶表示器などの表示デバイスを有するモニタ部３４と、テンキー等の操作釦を具備して操作入力を受け付ける操作入力受付部３５と、ＣＰＵを主構成要素とし各部の制御を行う端末制御部３６とを具備し、第１無線部３２により携帯電話事業者の携帯電話網を介して通話する携帯電話機能、並びに第２無線部３３により携帯電話網を介さずに無線通信する無線通信機能（無線ＬＡＮ機能）を有している。但し、携帯電話端末３の携帯電話機能並びにIEEE 802.11諸規格に準拠した無線ＬＡＮ機能については従来周知であるから詳細な説明を省略する。
【００１２】
ドアホン子器２は、マイクロホン２０並びにスピーカ２１と、音声信号の２線４線変換処理や呼出釦（図示せず）の操作に伴う呼出信号の伝送処理を行う通話処理部２２と、来訪者を撮像する撮像部２３と、撮像部２３から出力する映像信号を変調して通話処理部２２から出力する音声信号と周波数分割多重するとともに信号線Ｌｓを介して親機１から伝送されてくる音声信号を分離する多重分離処理部２４とを具備している。但し、かかるドアホン子器２の構成は従来周知であるから、詳細な説明は省略する。
【００１３】
親機１は、信号線Ｌｓを介してドアホン子器２より周波数分割多重伝送される映像信号と音声信号を分離するとともにドアホン子器２に対して信号線Ｌｓを介して音声信号を伝送する多重分離処理部１０と、液晶表示器やＣＲＴなどの表示デバイスを有し多重分離処理部１０で分離された映像信号を復調して表示するモニタ部１１と、マイクロホン並びにスピーカ、マイクロホンの出力を増幅するマイクロホンアンプ、スピーカへの入力を増幅するスピーカアンプを有する音声入出力部１２と、応答釦（図示せず）等の操作釦を具備して操作入力を受け付ける操作入力受付部１３と、ＣＰＵを主構成要素とし各部の制御を行う親機制御部１４と、無線インタフェース装置４との間で通信線Ｌｚを介して信号を伝送する信号伝送部１５とを具備している。
【００１４】
無線インタフェース（Ｉ／Ｆ）装置４は、不揮発性の半導体メモリからなる記憶部４０と、通信線Ｌｚを介して親機１との間で信号を伝送する信号伝送部４１と、テンキー（図示せず）等の操作釦を具備して操作入力を受け付ける操作入力受付部４２と、ＣＰＵを主構成要素とし各部の制御を行う制御部４３と、携帯電話端末３との間で無線通信を行う無線通信部４４とを具備する。なお、無線通信部４４は、携帯電話端末３の第２無線部３３と同様に無線ＬＡＮに関する規格（例えば、IEEE 802.11諸規格）に準拠した無線通信を行うものである。また、記憶部４０には無線Ｉ／Ｆ装置４に割り当てられた識別符号（プライベートなＩＰアドレス）とともに無線通信の相手となる携帯電話端末３の識別符号（プライベートなＩＰアドレス）が予め登録されており、このＩＰアドレスを送信先のアドレスに指定することで特定の携帯電話端末３との間でデータ（パケット）を送受信することができる。
【００１５】
次に本実施形態の動作を説明する。まず、ドアホン子器２と親機１との間で通話するインターホンシステムの基本動作について簡単に説明する。
【００１６】
来訪者がドアホン子器２の呼出釦（図示せず）を押操作すると信号線Ｌｓを介して親機１に呼出信号が伝送され、親機１においては親機制御部１４により音声入出力部１２のスピーカから呼出音を鳴動させるとともに信号線Ｌｓを介して電源を供給することでドアホン子器２の撮像部２３を起動し、撮像部２３で撮像された映像（動画）をモニタ部１１に表示させる。そして、モニタ部１１に表示された映像で来訪者を確認した家人が親機１の操作入力受付部１３に設けられた応答釦（図示せず）を押操作すれば、親機制御部１４によりドアホン子器２との間に信号線Ｌｓを介した通話路が形成されて親機１とドアホン子器２との間において通話が可能になるとともに、通話中においては親機１のモニタ部１１にドアホン子器２から伝送される映像を表示させることが可能になる。但し、親機１とドアホン子器２との間の通話並びに映像伝送は、応答釦が押操作されてから所定時間が経過するか若しくは再度応答釦が押操作されたときに終了する。
【００１７】
続いて、図２のシーケンス図を参照しながらドアホン子器２と携帯電話端末３との通話に関する動作を説明する。
【００１８】
呼出釦が押操作されてドアホン子器２から信号線Ｌｓを介して呼出信号が送信されると、親機１の親機制御部１４が信号伝送部１５から通信線Ｌｚを介して無線Ｉ／Ｆ装置４に呼出信号を伝送するとともに音声入出力部１２のスピーカから呼出音を鳴動させる。無線Ｉ／Ｆ装置４では、制御部４３が信号伝送部４１で受信した呼出信号に応じて無線通信部４４より携帯電話端末３に対して呼出通知を行う。携帯電話端末３では、無線Ｉ／Ｆ装置４から送信された呼出通知を第２無線部３３で受信すると端末制御部３６がスピーカ３１から呼出音を鳴動させる。そして、呼出音を聞いた家人が携帯電話端末３の操作入力受付部３５に設けられた応答釦（図示せず）を押操作すれば、端末制御部３６が第２無線部３３より無線Ｉ／Ｆ装置４に対して応答通知を行う。無線Ｉ／Ｆ装置４では、制御部４３が無線通信部４４で受信した応答通知を信号伝送部４１より通信線Ｌｚを介して親機１に伝送する。親機１では、無線Ｉ／Ｆ装置４を介して携帯電話端末３から送信された応答通知を信号伝送部１５で受信すると、親機制御部１４がドアホン子器２との間に信号線Ｌｓを介した通話路を形成するとともに無線Ｉ／Ｆ装置４を介して携帯電話端末３に対して通話許可通知を行い、さらに音声入出力部１２のスピーカから鳴動させていた呼出音を停止する。携帯電話端末３では、無線Ｉ／Ｆ装置４から送信された通話許可通知を第２無線部３３で受信すると端末制御部３６がスピーカ３１から鳴動させていた呼出音を停止する。そして、ドアホン子器２から親機１に伝送された映像と音声（送話音声）が親機制御部１４で各々映像データと音声データに変換されて信号伝送部１５より無線Ｉ／Ｆ装置４へ伝送され、無線Ｉ／Ｆ装置４の無線通信部４４より携帯電話端末３へ送信される。携帯電話端末３においては、無線Ｉ／Ｆ装置４から送信された映像データと音声データを第２無線部３３で受信すると端末制御部３６が映像データから元の映像を再構成してモニタ部３４に表示させるとともに音声データをアナログの音声信号に変換してスピーカ３１から音声（受話音声）を鳴動させる。また、マイクロホン３０から入力した音声（送話音声）が端末制御部３６で音声データに変換されて第２無線部３３より無線Ｉ／Ｆ装置４へ送信される。無線Ｉ／Ｆ装置４では、制御部４３が無線通信部４４で受信した音声データを信号伝送部４１より通信線Ｌｚを介して親機１に伝送する。親機１においては、無線Ｉ／Ｆ装置４から送信された音声データを信号伝送部１５で受信すると親機制御部１４が音声データをアナログの音声信号に変換して多重分離処理部１０よりドアホン子器２に送信し、ドアホン子器２のスピーカ２１から音声（受話音声）が鳴動されてドアホン子器２と携帯電話端末３との間で通話が可能となる。但し、親機１並びに無線Ｉ／Ｆ装置４を介した携帯電話端末３とドアホン子器２との間の通話並びに映像伝送は、携帯電話端末３で応答釦が押操作されてから所定時間が経過するか若しくは再度応答釦が押操作されたときに終了する。
【００１９】
上述のように本実施形態によれば、加入者電話回線に契約していなくても、親機１だけでなく携帯電話端末３を使ってドアホン子器２と通話ができるから使い勝手が向上し、しかも、携帯電話端末３によるドアホン子器２との通話においては携帯電話事業者の携帯電話網を介さずに通話できるから、通話に要するコストを大幅に低減することが可能である。また、音声だけでなくドアホン子器２の撮像部２３で撮像された映像も親機１から無線Ｉ／Ｆ装置４を介して携帯電話端末３に中継され、携帯電話端末３のモニタ部３４にドアホン子器２から受け取った映像を表示することができるから、携帯電話端末３を使って来訪者の映像を視認しながら通話することができる。
【００２０】
ところで、最近では家族全員（例えば、両親、子供、祖父母など）がそれぞれ専用の携帯電話端末３を保有することも多くなっている。しかしながら、携帯電話端末３にも機能差があり、静止画と動画の両方の映像を表示する機能を有した高機能型のものもあれば、静止画の表示機能のみを有する低機能型のものや映像の表示機能を有さない単機能型のものもある。このような状況において、ドアホン子器２で撮像された映像（動画）を映像表示機能を有さない単機能型の携帯電話端末３に送信したり、静止画の表示機能のみを有する低機能型の携帯電話端末３に送信しても無駄である。
【００２１】
そこで本実施形態においては、無線Ｉ／Ｆ装置４の記憶部４０に予めＩＰアドレスが登録されている複数台の携帯電話端末３のうちで動画の表示機能を有する携帯電話端末３のＩＰアドレス、静止画の表示機能を有する携帯電話端末３のＩＰアドレスを記憶部４０に格納されているデータテーブルに設定しておき、無線Ｉ／Ｆ装置４の制御部４３では、呼出通知に対して応答通知を送信してきた携帯電話端末３のＩＰアドレスを記憶部４０のデータテーブルと照合し、動画の表示機能を有する携帯電話端末３に対しては動画の映像データを送信し、動画の表示機能を有さず且つ静止画の表示機能を有する携帯電話端末３に対しては静止画の映像データ（動画の１フレーム分のデータ）を送信し、動画並びに静止画の両方の表示機能を有さない携帯電話端末３に対しては映像データを送信しないようにしている。
【００２２】
例えば、両親（父、母）と子供、祖父母の５人家族の場合、図３に示すように各人が保有する携帯電話端末３に割り当てられたＩＰアドレス（例えば、192.168.1.100〜192.168.1.104など）に対して、動画の表示機能を有する場合は動画表示機能用のフラグが「１」に設定され、静止画の表示機能を有する場合は静止画表示機能用のフラグが「１」に設定され、それぞれの表示機能を有さない場合は各フラグが「０」に設定されている。
【００２３】
而して、無線Ｉ／Ｆ装置４においては、何れかの携帯電話端末３から送信された応答通知を無線通信部４４で受信すると、制御部４３が記憶部４０に記憶しているデータテーブルを参照し、応答通知の送信元のＩＰアドレスに対して動画表示機能用のフラグが「１」に設定されていれば動画の映像データを送信し、動画表示機能用のフラグが「０」に設定され且つ静止画表示機能用のフラグが「１」に設定されていれば動画の１フレーム分の映像データを送信し、動画表示機能用並びに静止画表示機能用の何れのフラグも「０」に設定されていれば映像データを送信しない。
【００２４】
上述のように本実施形態によれば、映像の表示機能を有しない携帯電話端末３に無駄に映像を送ることが無くなり、また、動画の表示機能を有さない携帯電話端末３であっても静止画の表示機能を有していれば無線インタフェース装置４から静止画を送信し携帯電話端末３で当該静止画を表示することができて使い勝手が向上するという利点がある。
【００２５】
（実施形態２）
本実施形態は集合住宅向けのインターホンシステムに本発明の技術思想を適用したものであって、図４に示すように集合住宅の各住戸外（外玄関）に設置されるドアホン子器２と、集合住宅の各住戸内に設置されるとともに信号線Ｌｓを介してドアホン子器２と接続される親機１と、通信線Ｌｚを介して親機１と接続された無線Ｉ／Ｆ装置４と、集合住宅の共用玄関（ロビー）に設置されるとともに各々通信線Ｌｘ並びに制御線Ｌｙを介して各住戸の親機１と接続される通話子器（ロビーインターホン装置７）とを備えている。但し、本実施形態における親機１の基本構成は実施形態１と共通であり、また、ドアホン子器２並びに無線Ｉ／Ｆ装置４、携帯電話端末３は実施形態１と共通であるから、共通の構成要素には同一の符号を付して図示並びに説明を適宜省略する。
【００２６】
各住戸に設置される親機１は、信号線Ｌｓを介してドアホン子器２に接続する多重分離処理部１０、モニタ部１１、音声入出力部１２、操作入力受付部１３、親機制御部１４、信号伝送部１５に加えて、通信線Ｌｘを介してロビーインターホン装置７より周波数分割多重伝送される映像信号と音声信号を分離するとともにロビーインターホン装置７に対して通信線Ｌｘを介して音声信号を伝送する多重分離処理部１６と、制御線Ｌｙを介してロビーインターホン装置７との間で制御信号を送受信する制御信号送受信部１７とを具備している。ここで、通信線Ｌｘと制御線Ｌｙは複数対のペア線をシース内に備える多対ツイストペアケーブルからなり、ロビーインターホン装置７に接続された通信線Ｌｘと制御線Ｌｙ（これを幹線Ｌ１と呼ぶ。）からそれぞれ分岐された通信線Ｌｘと制御線Ｌｙ（これを住戸別線Ｌ２と呼ぶ。）に各住戸の親機１が接続されている。但し、親機１においては、住戸別線Ｌ２のうちの制御線Ｌｙとは常時接続されているが、通信線Ｌｘとは常時は接続されずにロビーインターホン装置７によって呼び出されたときにだけ接続されるように親機制御部１４が開閉制御している。
【００２７】
ロビーインターホン装置７は、マイクロホン並びにスピーカ、マイクロホンの出力を増幅するマイクロホンアンプ、スピーカへの入力を増幅するスピーカアンプを有する音声入出力部７０と、来訪者を撮像する撮像部７１と、住戸番号を指定するための番号キー並びに呼出釦（図示せず）を有して操作入力を受け付ける操作入力受付部７２と、制御線Ｌｙを介して制御信号を送受信する制御信号送受信部７３と、ＣＰＵを主構成要素とし各部の制御を行うロビーインターホン制御部７４とを具備している。ロビーインターホン制御部７４は、撮像部７１から出力する映像信号を変調して音声入出力部７０から出力する音声信号と周波数分割多重するとともに通信線Ｌｘを介して親機１から伝送されてくる音声信号を分離する機能を有している。ここで、親機１の親機制御部１４には個別にアドレス（住戸番号）が設定されており、番号キーが操作されて操作入力受付部７２で住戸番号の入力が受け付けられると、ロビーインターホン制御部７４が入力された住戸番号を指定する制御信号（呼出コマンド）を生成し、生成した制御信号を制御信号送受信部７３から制御線Ｌｙを介して全ての親機１に送信する。なお、音声入出力部７０が、各々エコーキャンセラ若しくは音声スイッチの少なくとも何れか一方を具備すれば、ロビーインターホン装置７で拡声通話（ハンズフリー通話）を行うことができる。
【００２８】
一方、親機１の親機制御部１４は、制御信号に含まれる住戸番号が自己の住戸番号であれば住戸別線Ｌ２の通信線Ｌｘを接続し、ロビーインターホン装置７の撮像部７１において撮像され且つ通信線Ｌｘを介して伝送される来訪者の映像をモニタ部１１に表示させるとともに、音声入出力部１２のスピーカから呼出音を鳴動する。そして、呼出音に応じて家人が操作入力受付部１３の応答釦を押操作すれば、ロビーインターホン装置７と選択された親機１との間でのみ通話可能にすることができるとともに、選択された親機１でのみ撮像部７１で撮像された来訪者をモニタ部１１に表示することが可能になる。
【００２９】
次に、ロビーインターホン装置７と携帯電話端末３との通話に関する動作を説明する。
【００３０】
ロビーインターホン装置７から制御線Ｌｙを介して送信される制御信号（呼出コマンド）を制御信号送受信部１７で受信すると、親機１の親機制御部１４が無線Ｉ／Ｆ装置４を介して携帯電話端末３に対して呼出通知を行うとともに音声入出力部１２のスピーカから呼出音を鳴動させる。携帯電話端末３では、無線Ｉ／Ｆ装置４から送信された呼出通知を第２無線部３３で受信すると端末制御部３６がスピーカ３１から呼出音を鳴動させる。そして、呼出音を聞いた家人が携帯電話端末３の操作入力受付部３５に設けられた応答釦を押操作すれば、端末制御部３６が第２無線部３３より無線Ｉ／Ｆ装置４に対して応答通知を行い、当該応答通知が無線Ｉ／Ｆ装置４を介して親機１に伝送される。親機１では、携帯電話端末３から無線Ｉ／Ｆ装置４を介して送信された応答通知を信号伝送部１５で受信すると、親機制御部１４が無線Ｉ／Ｆ装置４を介して携帯電話端末３に対して通話許可通知を行い、さらに音声入出力部１２のスピーカから鳴動させていた呼出音を停止する。携帯電話端末３では、無線Ｉ／Ｆ装置４から送信された通話許可通知を第２無線部３３で受信すると端末制御部３６がスピーカ３１から鳴動させていた呼出音を停止する。そして、ロビーインターホン装置７から親機１に伝送された映像と音声（送話音声）が親機制御部１４で各々映像データと音声データに変換されて無線Ｉ／Ｆ装置４を介して携帯電話端末３へ送信され、携帯電話端末３においては、無線Ｉ／Ｆ装置４から送信された映像データと音声データを第２無線部３３で受信すると端末制御部３６が映像データから元の映像を再構成してモニタ部３４に表示させるとともに音声データをアナログの音声信号に変換してスピーカ３１から音声（受話音声）を鳴動させる。また、マイクロホン３０から入力した音声（送話音声）が端末制御部３６で音声データに変換されて第２無線部３３より無線Ｉ／Ｆ装置４を介して親機１へ送信され、親機１においては、携帯電話端末３から送信された音声データを無線Ｉ／Ｆ装置４を介して受信すると親機制御部１４が音声データをアナログの音声信号に変換して多重分離処理部１６よりロビーインターホン装置７に送信し、ロビーインターホン装置７の音声入出力部７０のスピーカから音声（受話音声）が鳴動されてロビーインターホン装置７と携帯電話端末３との間で通話が可能となる。但し、親機１並びに無線Ｉ／Ｆ装置４を介した携帯電話端末３とロビーインターホン装置７との間の通話並びに映像伝送は、携帯電話端末３で応答釦が押操作されてから所定時間が経過するか若しくは再度応答釦が押操作されたときに終了する。
【００３１】
なお、詳しい説明は省略するが、本実施形態においても実施形態１と同様に、何れかの携帯電話端末３から送信された応答通知を無線通信部４４で受信すると、制御部４３が記憶部４０に記憶しているデータテーブルを参照し、応答通知の送信元のＩＰアドレスに対して動画表示機能用のフラグが「１」に設定されていれば動画の映像データを送信し、動画表示機能用のフラグが「０」に設定され且つ静止画表示機能用のフラグが「１」に設定されていれば動画の１フレーム分の映像データを送信し、動画表示機能用並びに静止画表示機能用の何れのフラグも「０」に設定されていれば映像データを送信しないようにしている。
【００３２】
なお、実施形態１，２では親機１と別に無線Ｉ／Ｆ装置４をシステムに備えているが、無線Ｉ／Ｆ装置４を親機１に内蔵しても構わない。
【図面の簡単な説明】
【００３３】
【図１】本発明の実施形態１を示すシステム構成図である。
【図２】同上においてドアホン子器と携帯電話端末の通話に関する動作を説明するためのシーケンス図である。
【図３】同上におけるデータテーブルの説明図である。
【図４】本発明の実施形態２を示すシステム構成図である。
【符号の説明】
【００３４】
１  インターホン親機
２  ドアホン子器（通話子器）
３  携帯電話端末
４  無線インタフェース（Ｉ／Ｆ）装置
３２  第１無線部
３３  第２無線部
【図１】
2008135884.tif 000003
【図２】
2008135884.tif 000004
【図３】
2008135884.tif 000005
【図４】
2008135884.tif 000006